【手続補正書】
【提出日】平成29年5月1日(2017.5.1)
【手続補正１】
【補正対象書類名】特許請求の範囲
【補正対象項目名】全文
【補正方法】変更
【補正の内容】
【特許請求の範囲】
【請求項１】
バーベキューグリルの金属板で構成された火床内に配置される火床カバーであって、
前記火床カバーは、可撓性を有する金属箔で構成され且つ内部に加熱燃料を収容できる箱であり、前記火床カバーは、底板と、
前記底板の端に立設された側壁とを有しており、
前記火床カバーの前記側壁の少なくとも一部は、前記火床の側壁に対して間隙を有して対向配置され、
前記火床カバーの前記側壁の前記一部には、前記火床カバーの前記一部を貫通した通気孔が設けられており、
前記火床カバーの前記通気孔は、前記火床の前記側壁に設けられた通気孔に前記間隙を介して連通する火床カバー。
【請求項２】
請求項１記載の火床カバーにおいて、
前記火床の底板は、矩形状であって、第１方向の一方の第１端と、前記第１端の反対側の第２端と、前記第１方向に交差する第２方向の一方の第３端と、前記第３端の反対側の第４端とを有しており、
前記火床の前記側壁は、前記火床の前記底板の前記第１端に立設された第１側壁と、
前記火床の前記底板の前記第２端に立設された第２側壁と、
前記火床の前記底板の前記第３端に立設された第３側壁と、
前記火床の前記底板の前記第４端に立設された第４側壁とを有しており、
前記火床カバーの前記底板は矩形状であり、
前記火床カバーの前記底板は、前記第１方向の一方の第１端と、前記第１端の反対側の第２端と、前記第２方向の一方の第３端と、前記第３端の反対側の第４端とを有しており、
前記火床カバーの前記側壁は、前記火床カバーの前記底板の前記第１端に立設された第１側壁と、
前記火床カバーの前記底板の前記第２端に立設された第２側壁と、
前記火床カバーの前記底板の前記第３端に立設された第３側壁と、
前記火床カバーの前記底板の前記第４端に立設された第４側壁とを有しており、
前記火床カバーの前記第１、第２側壁の少なくとも一方が、前記火床の前記第１、第２側壁の少なくとも一方に対して前記間隙を有して対向配置され、前記火床カバーの前記第１、第２側壁の少なくとも一方に前記火床カバーの前記通気孔が設けられており、前記火床カバーの前記通気孔が、前記火床の前記第１、第２側壁の少なくとも一方に設けられた前記通気孔に前記間隙を介して連通する火床カバー。
【請求項３】
請求項２記載の火床カバーにおいて、
前記火床カバーの前記第３、第４側壁が、前記火床の前記第３、第４側壁に各々当接する火床カバー。
【請求項４】
請求項２又は３記載の火床カバーにおいて、
前記火床カバーの前記第１、第２側壁は、前記火床カバーの第１、第２側壁間の距離が漸次離れるように斜め上方に延びている火床カバー。
【請求項５】
請求項２〜４の何れかに記載の火床カバーにおいて、
前記火床カバーの前記第３、第４側壁は、前記火床カバーの第３、第４側壁間の距離が漸次離れるように斜め上方に延びている火床カバー。
【請求項６】
請求項２〜５の何れかに記載の火床カバーにおいて、
前記火床カバーの前記第１〜第４側壁の少なくとも一つに、複数の凸部又は複数の凹部が設けられている火床カバー。
【請求項７】
請求項１記載の火床カバーにおいて、
前記火床カバーの前記底板は円板であり、
前記火床カバーの前記底板は、リング状の端を有しており、
前記火床カバーの前記側壁は、前記火床カバーの前記底板の前記端に立設された円筒である火床カバー。
【請求項８】
請求項７記載の火床カバーにおいて、
前記火床カバーの前記側壁は、前記火床カバーの前記側壁の外径および内径が上方に漸次拡径するように斜め上方に延びている火床カバー。
【請求項９】
請求項７〜８の何れかに記載の火床カバーにおいて、
前記火床カバーの前記側壁に、複数の凸部又は複数の凹部が設けられている火床カバー。
【請求項１０】
請求項１〜９の何れかに記載の火床カバーにおいて、
前記火床カバーの前記側壁の上端の少なくとも一部に設けられ、外側に延びており且つ前記火床の前記側壁上に載置されるフランジをさらに備えている火床カバー。
【請求項１１】
請求項１〜〜１０の何れかに記載の火床カバーと、
前記火床カバーを収容しており且つ金属板で構成された火床とを備えており、
前記火床は、前記火床カバーの前記側壁の前記一部に間隙を有して対向配置された側壁を有しており、
前記火床の前記側壁には、通気孔が設けられており、
前記火床の前記通気孔が、前記火床カバーの前記通気孔に前記間隙を介して連通しているバーベキューグリル。
【手続補正２】
【補正対象書類名】明細書
【補正対象項目名】０００６
【補正方法】変更
【補正の内容】
【０００６】
上記課題を解決するために、本発明の火床カバーは、可撓性を有する金属箔で構成されており且つ内部に加熱燃料を収容できる箱であって、バーベキューグリルの金属板で構成された火床内に配置されるものである。この火床カバーは、底板と、前記底板の端に立設された側壁とを有している。火床カバーの側壁の少なくとも一部は、火床の側壁に対して間隙を有して対向配置され、火床カバーの側壁の一部には、火床カバーの一部を貫通した通気孔が設けられており、火床カバーの通気孔は、火床の側壁に設けられた通気孔に前記間隙を介して連通するようになっている。
このような態様の火床カバーによる場合、火床内に収容された火床カバー内に加熱燃料が挿入され、加熱される。しかし、当該火床カバーが加熱燃料の加熱から火床を保護するので、加熱燃料の加熱により火床が熱劣化するのを抑制することができる。しかも、火床カバーによって、煤や食材（肉）の油が火床の内面に付着するのを防止することができる。
また、火床カバーは、火床内に収容されると、火床カバーの側壁の少なくとも一部と火床の側壁との間に間隙が生じる。この間隙が空気断熱として機能するので、火床カバー内の加熱燃料による加熱によって、火床の側壁が熱劣化するのをさらに抑制することができる。火床カバーの通気孔が、火床の通気孔に対応する位置に設けられていなかったとしても、火床の通気孔と、この火床内に収容された火床カバーの通気孔とが間隙によって通じる。よって、火床の通気孔、間隙および火床カバーの通気孔から外気を火床カバー内に取り込むことが可能になる。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
火床の底板は、矩形状であって、第１方向の一方の第１端と、第１端の反対側の第２端と、第１方向に交差する第２方向の一方の第３端と、第３端の反対側の第４端とを有する構成とすることが可能である。火床の側壁は、火床の底板の第１端に立設された第１側壁と、火床の底板の第２端に立設された第２側壁と、火床の底板の第３端に立設された第３側壁と、火床の底板の第４端に立設された第４側壁とを有する構成とすることが可能である。
火床カバーの底板は矩形状とすることが可能である。火床カバーの底板は、第１方向の一方の第１端と、第１端の反対側の第２端と、第２方向の一方の第３端と、第３端の反対側の第４端とを有する構成とすることが可能である。火床カバーの側壁は、火床カバーの底板の第１端に立設された第１側壁と、火床カバーの底板の第２端に立設された第２側壁と、火床カバーの底板の第３端に立設された第３側壁と、火床カバーの底板の第４端に立設された第４側壁とを有する構成とすることが可能である。
火床カバーの第１、第２側壁の少なくとも一方が、火床の第１、第２側壁の少なくとも一方に対して間隙を有して対向配置され、火床カバーの第１、第２側壁の少なくとも一方に火床カバーの通気孔が設けられており、火床カバーの通気孔が、火床の第１、第２側壁の少なくとも一方に設けられた通気孔に前記間隙を介して連通する構成とすることが可能である。
【手続補正５】
【補正対象書類名】明細書
【補正対象項目名】０００９
【補正方法】変更
【補正の内容】
【０００９】
火床カバーの第３、第４側壁が、火床の第３、第４側壁に各々当接する構成とすることが可能である。
【手続補正６】
【補正対象書類名】明細書
【補正対象項目名】００１０
【補正方法】変更
【補正の内容】
【００１０】
火床カバーの第１、第２側壁は、火床カバーの第１、第２側壁間の距離が漸次離れるように斜め上方に延びた構成とすることが可能である。
【手続補正７】
【補正対象書類名】明細書
【補正対象項目名】００１１
【補正方法】変更
【補正の内容】
【００１１】
火床カバーの第３、第４側壁は、火床カバーの第３、第４側壁間の距離が漸次離れるように斜め上方に延びた構成とすることが可能である。第１、第２、第３および第４側壁が上述のとおり斜め上方に延びている場合、複数の当該火床カバーを上下に重ねることができる。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
火床カバーの第１〜第４側壁の少なくとも一つに、複数の凸部又は複数の凹部が設けられた構成とすることが可能である。このような態様の火床カバーによる場合、凸部又は凹部によって、第１〜第４側壁の少なくとも一つの表面積が増大する。よって、火床カバーの放熱効果が向上する。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
火床カバーの底板は円板とすることが可能である。火床カバーの底板は、リング状の端を有する構成とすることが可能である。火床カバーの側壁は、火床カバーの底板の前記端に立設された円筒とすることが可能である。
【手続補正１２】
【補正対象書類名】明細書
【補正対象項目名】００１６
【補正方法】変更
【補正の内容】
【００１６】
火床カバーの側壁は、火床カバーの側壁の外径および内径が上方に漸次拡径するように斜め上方に延びた構成とすることが可能である。このような態様の火床カバーによる場合、複数の当該火床カバーを上下に重ねることができる。
【手続補正１３】
【補正対象書類名】明細書
【補正対象項目名】００１７
【補正方法】変更
【補正の内容】
【００１７】
火床カバーの側壁に、複数の凸部又は複数の凹部が設けられた構成とすることが可能である。このような態様の火床カバーによる場合、凸部又は凹部によって、側壁の表面積が増大する。よって、火床カバーの放熱効果が向上する。
【手続補正１４】
【補正対象書類名】明細書
【補正対象項目名】００１８
【補正方法】変更
【補正の内容】
【００１８】
上記火床カバーは、フランジをさらに備えた構成とすることが可能である。フランジは、火床カバーの側壁の上端の少なくとも一部に設けられ、外側に延びており且つ火床の側壁上に載置可能な構成とすることが可能である。このような態様の火床カバーによる場合、フランジが火床の側壁上に載置されることによって、火床カバーが火床内に収容された状態が安定する。
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】変更
【補正の内容】
【００２０】
本発明のバーベキューグリルは、火床と、上述した何れかの態様の火床カバーとを備えている。火床カバーは、火床内に収容されている。火床は、火床カバーの側壁の一部に間隙を有して対向配置された側壁を有する構成とすることが可能である。火床の側壁には、通気孔が設けられている。火床の通気孔が、火床カバーの通気孔に間隙を介して連通している。